(57)【要約】  ＴＶ表示部（１２）は、インターネット経由で入手して表示することが可能なコンテンツを表すサムネイル（４０）グリッドと、グリッドに隣接してユーザ入力クエリーに適合するコンテンツを表すサムネイルコラム（４２）とを表示する。適合するコンテンツは、インターネット、ＥＰＧ、ローカルＴＶ記憶装置（２０）、及びＴＶホームネットワークを検索して見つける。検索結果のサムネイルは、ユーザのナビゲーション履歴に従って優先付けされる。【選択図】      図１
2014502445.tif 000002
【特許請求の範囲】
【請求項１】
インターネット接続されたビデオ表示デバイスであって、
ビデオ表示部（１２）と、
前記ビデオ表示部での表示のためにインターネット経由で利用可能なビデオの複数のサムネイル（４０）が配置されるメインウインドウを提示するように、前記ビデオ表示部を制御する処理装置（１６）と、
を備え、
前記処理装置は、更にメインウインドウに隣接してサムネイルコラム（４２）を前記ビデオ表示部に表示し、前記サムネイルコラムの少なくとも１つのサムネイルは、ユーザ入力検索クエリーに適合するとみなされるコンテンツを表すことを特徴とするデバイス。
【請求項２】
前記サムネイルコラム（４２）は、前記ビデオ表示部の右側に表示される、請求項１に記載のデバイス。
【請求項３】
前記サムネイルコラム（４２）の少なくとも１つのサムネイル（４６）は広告を表す、請求項１に記載のデバイス。
【請求項４】
前記広告は、ユーザ入力検索クエリーに基づくユーザ層に関する少なくとも１つの仮定に基づいて選択される、請求項３に記載のデバイス。
【請求項５】
前記処理装置（１６）は、ユーザ入力検索クエリーに応答して、（ａ）写真、ビデオ、及び音楽のローカルＴＶデータ記憶装置（２０）、（ｂ）ＴＶ信号プロバイダから受け取ったＴＶ電子番組ガイド（ＥＰＧ）を検索する、請求項１に記載のデバイス。
【請求項６】
前記理装置（１６）は、ユーザ入力検索クエリーに応答して、（ｃ）インターネット、及び（ｄ）ＴＶと通信するホームネットワークのデバイスを検索する、請求項５に記載のデバイス。
【請求項７】
前記処理装置（１６）により、前記ビデオ表示部（１２）は、インターネットＴＶのエントリを有する最上位メニューを表示し、該エントリをユーザが選択すると前記ビデオ表示部にメインウインドウが表示される、請求項１に記載のデバイス。
【請求項８】
サムネイルは、前記ＴＶ表示部を利用した従来のユーザのナビゲーションに基づく検索結果の優先順位に従って前記サムネイルコラム（４２）内に配列される、請求項１に記載のデバイス。
【請求項９】
ジャンルを表す横列アイコンを含むクロスメディアバー（ＸＭＢ）（３０）を表示するＴＶ表示部（１２）を備えるビデオ表示装置であって、ジャンルの１つはインターネットＴＶジャンルであり、インターネットＴＶジャンルのカーソルハイライトに応答して、インターネットＴＶジャンルを表すエントリコラム（３６）がアイコンの下方に現れ、前記エントリの１つ（３８）は、前記表示部上に表示することが可能なインターネットビデオのサムネイル（４０）のメインセット及びユーザ入力検索クエリーの結果を表すサムネイルを示すサムネイル（４２）の検索セットを示す表示が前記表示部に現れるように選択可能である、ビデオ表示装置。
【発明の詳細な説明】
【技術分野】
【０００１】
本発明は、ユーザ指示検索の実装及びインターネットに接続されたＴＶの表示方法に関するが、検索自体は唯一のソースとしてインターネットに限定されるものではない。
【背景技術】
【０００２】
インターネットとテレビジョンとを組み合わせる目的は、ＴＶに直接組み込まれたネットワークコネクションを可能にすることで達成されている。消費者は、インターネットサーバに記憶されＴＶ表示画面に表示されたコンテンツを楽しむことができるが、放送ＴＶ及びカセットプレーヤ又はディスクプレーヤ等の他のデバイスからのコンテンツを視聴することもできる。コンピュータ上で全てのＴＶ番組を見る多くの視聴者は非常に増えているので、この視聴者がインターネット上で見つけたＴＶ番組をＴＶセット上で見る可能性が高くなっている。Ｎｅｔｆｌｉｘ  Ｉｎｃ．等の会社は、世界規模のインターネットを利用して視聴者に映画を供給することに資金を供給しており、インターネットとＴＶを組み合わせてインターネットに直接接続された家庭用ＴＶでアクセスできる。
【発明の概要】
【発明が解決しようとする課題】
【０００３】
本明細書で理解できるように、ＴＶ処理装置で制御されるユーザ指示検索を可能にして、種々のソースを検索して、ユーザ層に関する仮定に基づいた広告を含む検索結果を表示することは好都合である。
【課題を解決するための手段】
【０００４】
本発明は、ＴＶ表示画面の右側に種々のソース、すなわちインターネットからの検索結果を含む、検索ツールバーを実装する。この検索ツールバーは、インターネットからストリーミングすることができる利用可能なビデオを含む画面の主要部分の追加部分である。検索ツールバーは、コラムの形態である場合が多く、ユーザの検索クエリーに基づいて少なくとも１つの広告を含む。
【０００５】
従って、インターネット接続されたビデオ表示デバイスは、ビデオ表示部及び該ビデオ表示部を制御してビデオの複数のサムネイルが配列されるメインウインドウを表示する処理装置を有する。表示部に表示するビデオはインターネット経由で利用可能である。処理装置は、更にメインウインドウの隣にサムネイルコラムを表示させることができる。サムネイルコラムのサムネイルの少なくとも幾つかは、ユーザ入力検索クエリーに適合するとみなされるコンテンツを表示する。
【０００６】
特定の実施形態において、サムネイルコラムは、表示部の右側に表示される。サムネイルコラム内の１つ又はそれ以上のサムネイルは、広告を表すことができる。広告は、ユーザ入力検索クエリーに基づくユーザ層に関する少なくとも１つの仮定に基づいて選択することができる。
【０００７】
所望であれば、処理装置は、ユーザ入力検索クエリーに応答して、（ａ）写真、ビデオ、及び音楽のローカルＴＶデータ記憶装置（２０）、（ｂ）ＴＶ信号プロバイダから受け取ったＴＶ電子番組ガイド（ＥＰＧ）を検索することができる。処理装置は、ユーザ入力検索クエリーに応答して、（ｃ）インターネット、及び（ｄ）ＴＶと通信するホームネットワークのデバイスを検索することができる。
【０００８】
所望であれば、処理装置により、ビデオ表示部は、インターネットＴＶのエントリを有する最上位メニューを表示し、該エントリをユーザが選択するとビデオ表示部にメインウインドウが表示される。サムネイルは、ＴＶ表示部を利用した従来のユーザのナビゲーションに基づく検索結果の優先順位に従ってサムネイルコラム内に配列される。
【０００９】
他の態様において、ジャンルを表す横列アイコンを含むクロスメディアバー（ＸＭＢ）を表示するＴＶ表示部を備えるビデオ表示装置であり、ジャンルの１つはインターネットＴＶジャンルである。インターネットＴＶジャンルのカーソルハイライトに応答して、インターネットＴＶジャンルを表すエントリコラムがアイコンの下方に現れ、エントリの１つは、表示部上に表示することが可能なインターネットビデオのサムネイルのメインセット及びユーザ入力検索クエリーの結果を表すサムネイルを示すサムネイルの検索セットを示す表示が表示部に現れるように選択可能である、
【００１０】
別の態様において、方法は、ビデオ表示デバイスにおいて検索クエリーを受信する段階と、検索クエリーに応答して、クエリーに適合するオーディオ及び／又はビデオコンテンツに関する、ＴＶコンテンツプロバイダから受け取った電子番組（ＥＰＧ）を検索する段階とを含む。本方法は、検索クエリーに応答して、クエリーに適合するオーディオ及び／又はビデオコンテンツに関する、ローカルＴＶデータ記憶装置を検索し、ユーザナビゲーション位置を受信して、ビデオ表示デバイス上にクエリーに適合する結果を表すサムネイルを表示するが、サムネイルは、ユーザナビゲーション位置によって定義される優先順位に従って表示デバイスに配列される。
【図面の簡単な説明】
【００１１】
【図１】体系的に内部及び外部構成要素を示す、ＴＶ等の表示デバイスのブロック図である。
【図２】ドロップダウンメニューを備えるクロスメディアバーを示すＴＶ表示部の画面ショットである。
【図３】インターネット経由で利用可能なビデオから成る主要部分、及びユーザ入力検索クエリーコンテンツから成る隣接部分を表示する画面ショットである。
【図４】ユーザ入力検索クエリーに続く処理装置の一連のシーケンスに含まれる例示的なロジックを示すフローチャートである。
【発明を実施するための形態】
【００１２】
最初に図１を参照すると、ＴＶは全体的には１０で示され、表示画面１２を含んでいる。チューナ１４、処理装置１６、ネットワークインタフェース（ＮＩ）１８、及び記憶媒体（ＳＭ）デバイス２０は、一体的にＴＶ１０に取り付けられている。ネットワークインタフェース１８は、有線信号又は無線信号のいずれかにより、１つ又はそれ以上のインターネットマルチメディアコンテンツソース２２に接続することができる。追加的に、ＤＶＤ又はＢｌｕ−Ｒａｙ（商標）プレーヤ等のディスクプレーヤ２４は、ＴＶ１０に接続することができる。無線リモコン２８のキーパッド２６から情報を入力して、処理装置１６に所望のメディアを表示画面１２上に表示するように指示できる。
【００１３】
図２を参照すると、表示画面１２は、ユーザに対して、限定されるものではないが、１つが「インターネットＴＶ」３２である各入力ジャンルを示すアイコンを含む、クロスメディアバー（ＸＭＢ）３０等のユーザインタフェースを含むメインウインドウを提示する。図１に示すリモコン２８のキーパッド２６で制御されるカーソル３４がアイコン「インターネットＴＶ」３２の上に置かれる場合、ユーザには複数の選択可能なアイコンを含む追加のドロップダウンコラム３６が提示され、その１つは「利用可能ビデオ及び検索の表示」３８である。
【００１４】
「利用可能ビデオ及び検索の表示」アイコン３８を選択すると、処理装置１６は表示画面１２を制御して図３に示す画面ショットを表示する。図３のメインウインドウは、インターネット２２経由で利用可能なビデオの複数のサムネイル４０の配列を含む。サムネイルを選択すると、処理装置１６はインターネット２２から対応するビデオをＴＶ１０へストリーミングして表示画面１２上に表示する。サムネイル４０の配列を備えるメインウインドウに加えて、処理装置１６は、表示画面１２に対してメインウインドウの隣に、ここでは非限定的な実施例を示す図３の右側にサムネイル４２のコラムを提示するように指示する。各サムネイル４２は、ビデオや写真等のそれぞれのマルチメディアファイルを示す。サムネイル４２のコラムで示されるマルチメディアファイルのコンテンツは、コラム４２の上端のユーザ指示検索クエリー４４に適合する。ユーザは、リモコン２８のキーパッド２６を用いて所望のキーワードをクエリー４４に入力することができる。処理装置１６は、複数のソース上でユーザのキーワードに関連するコンテンツを検索するが、複数のソースとしては、写真、ビデオ、及び音楽用の記憶媒体２０等のローカルＴＶデータ記憶装置、ＴＶ信号プロバイダから受信したＴＶ電子番組ガイド（ＥＰＧ）、インターネット、及びＴＶ１０と通信するディスクプレーヤ２４等のホームネットワークのデバイスを挙げることができる。サムネイルの少なくとも１つは、ユーザ入力検索クエリー４４に基づくユーザ層に関する仮定に基づいて選択される広告４６を提示することができる。
【００１５】
図４を参照すると、ブロック４８は、検索クエリー４４に入力されたユーザの検索キーワードを受け取る処理装置１６によるロジックシーケンスを開始する。次に、処理装置１６は、以下のブロックで利用可能なソースを検索する。すなわち、電子番組ガイド５０、音楽や写真等のローカルＴＶ記憶媒体５２、インターネット５４（任意）、及び適合するディスクプレーヤ２４等の付属デバイスを含むホームネットワーク５６のブロックである。コンテンツを受信すると、処理装置１６は、ブロック５８において現在のガイド位置を受信し、ブロック６０において受信コンテンツのサムネイルを表示する。各サムネイルは、ＴＶＢ表示部１２を用いた以前のユーザナビゲーションに基づく検索結果の優先順位に応じてコラム４２内で整列される。例えば、ユーザが最後に「写真」をナビゲートした場合、検索タームに一致する写真は、例えば、それぞれのサムネイルを右側コラムの高い位置に配置することで、戻ってきた検索結果に優先順位が与えられる。また、処理装置１６は、ブロック６２において、ユーザの検索クエリーに基づいて少なくとも１つの広告４６を表示する。
【図１】
2014502445.tif 000003
【図２】
2014502445.tif 000004
【図３】
2014502445.tif 000005
【図４】
2014502445.tif 000006
【国際調査報告】
2014502445.tif 000007